(57)【要約】【課題】サーバに対して多値画像を送信しないで、イメージデータの補正を可能とし、端末装置とサーバ間の応答時間を大幅に削減する。【解決手段】登録業務を行う登録端末にて、画像入力装置から取得したイメージデータを用い、多値画像と２値画像の２種類の画像データを作成する。２値画像及び多値画像を登録端末の記憶部に保存する一方、２値画像のみをサーバに送信して、ＤＢに登録する。補正業務を行う補正端末は、サーバに登録されている２値画像を取得して補正処理を行う。多値画像を必要とする補正処理を行う時は、例えば登録端末で多値画像を用いて補正処理を行い、結果を補正端末に送信する。或いは、登録端末から補正端末に多値画像を送信し、この多値画像を用いて補正端末で補正処理を行う。補正処理が施された２値画像を補正端末からサーバに送信して、ＤＢに登録する。【選択図】  図２
2004334524.tif 000002
【特許請求の範囲】
【請求項１】
端末装置で取得した画像情報をサーバに送信して記憶装置に登録するようにしたイメージ処理システムにおいて、
帳票等のイメージデータを取得する画像入力装置と、
該画像入力装置に接続された第１の端末装置であって、該第１の端末装置は、
該画像入力装置から取得されたイメージデータに対して認識処理を行い、コードデータを得る文字認識処理手段と、該画像入力装置から取得されたイメージデータから多値画像を得る手段と、該画像入力装置から取得されたイメージデータから２値画像を得る手段と、該多値画像及び２値画像を記憶する記憶手段と、得られた該２値画像及び該コードデータを該サーバに送信する手段を有することを特徴とするイメージ処理システム。
【請求項２】
該第１の端末装置及び該サーバに接続された第２の端末装置であって、該第２の端末装置は、
該サーバから補正の対象とする２値画像およびコードデータを取得する手段と、取得した２値画像およびコードデータを表示する表示手段と、該２値画像又はコードデータに対して補正処理を行う補正処理手段と、補正された２値画像又はコードデータを該サーバに送信する手段とを有する請求項１記載のイメージ処理システム。
【請求項３】
前記補正処理手段は、処理装置を用いて、イメージデータに対する閾値の変更による濃淡の変更、画像の回転又は反転、画像の拡大又は縮小処理を行うことを特徴とする請求項２記載のイメージ処理システム。
【請求項４】
端末装置で取得した画像情報をサーバに送信して記憶装置に登録するようにしたイメージ処理システムにおいて、
帳票等のイメージデータを取得する画像入力装置と、
該画像入力装置に接続された第１の端末装置であって、該第１の端末装置は、
該画像入力装置から取得されたイメージデータに対して認識処理を行い、コードデータを得る文字認識処理手段と、該画像入力装置から取得されたイメージデータから多値画像を得る手段と、該画像入力装置から取得されたイメージデータから２値画像を得る手段と、該多値画像及び２値画像を記憶する記憶手段と、得られた該２値画像及び該コードデータを該サーバに送信する手段を有し、
該第１の端末装置及び該サーバに接続された第２の端末装置であって、該第２の端末装置は、
該サーバから補正の対象とする２値画像を取得する手段と、取得した２値画像を表示する表示手段と、該２値画像に対して補正処理を行う補正処理手段と、補正された２値画像を該サーバに送信する手段とを有し、かつ、
該第１の端末装置は、更に、該補正処理手段で多値画像に補正処理を施して２値画像を作成する処理が選択された場合、補正対象のイメージの多値画像から２値化のための閾値の変更によって２値画像を作成する手段と、作成した２値画像を該第２の端末装置に送信する手段とを有することを特徴とするイメージ処理システム。
【請求項５】
端末装置で取得した画像情報をサーバに送信して記憶装置に登録するようにしたイメージ処理システムにおいて、
帳票等のイメージデータを取得する画像入力装置と、
該画像入力装置に接続された第１の端末装置であって、該第１の端末装置は、
該画像入力装置から取得されたイメージデータに対して認識処理を行い、コードデータを得る文字認識処理手段と、該画像入力装置から取得されたイメージデータから多値画像を得る手段と、該画像入力装置から取得されたイメージデータから２値画像を得る手段と、該多値画像及び２値画像を記憶する記憶手段と、得られた該２値画像及び該コードデータを該サーバに送信する手段を有し、
該第１の端末装置及び該サーバに接続された第２の端末装置であって、該第２の端末装置は、
該サーバから補正の対象とする２値画像を取得する手段と、取得した２値画像を表示する表示手段と、該２値画像に対して補正処理を行う補正処理手段と、補正された２値画像を該サーバに送信する手段とを有し、更に、
該補正処理手段で、多値画像に補正処理を施して２値画像を作成する処理が選択された場合、該記憶手段に保持されている補正対象イメージの多値画像を読み出して該第２の端末装置に送信する手段を有し、
該補正処理手段は、該第１の端末装置から送信された多値画像から２値化のための閾値の変更によって２値画像を作成することを特徴とするイメージ処理システム。
【請求項６】
前記第１の端末措置は、更に、イメージデータの破棄が選択された場合、該サーバの記憶装置に登録された２値画像及びコードデータを削除する手段と、
該第１の端末装置の記憶手段に記憶された多値画像を削除する手段とを有することを特徴とする請求項１、４又は５記載のイメージ処理システム。
【請求項７】
更に、前記サーバに接続された第３の端末装置を備え、該第３の端末装置は、該サーバの記憶装置に登録された２値画像及びコードデータを取得して表示する表示手段と、
該表示手段に表示された２値画像又はコードデータに対して検証結果を示す情報を付与する手段を、該付与手段により付与された情報を該サーバに送信する手段とを有することを特徴とする請求項１、４又は５記載のイメージ処理システム。
【請求項８】
第１の端末装置で取得した画像情報をサーバに送信して記憶装置に登録するようにしたイメージ処理システムにおける画像の処理方法であって、
画像入力装置を用いて帳票のイメージデータを取得するステップと、
該画像入力装置から取得されたイメージデータの認識処理を行い、認識結果からコードデータを得る文字認識処理ステップと、
該画像入力装置から取得されたイメージデータから多値画像を得るステップと、
該画像入力装置から取得されたイメージデータから２値画像を得るステップと、
得られた該多値画像及び２値画像を記憶部に記憶するステップと、
得られた該２値画像及び該コードデータを該サーバに送信するステップと、
を有することを特徴とする画像の処理方法。
【請求項９】
前記サーバに接続された第２の端末装置で、
該サーバから補正の対象とする２値画像を取得するステップと、
取得した２値画像を表示部に表示するステップと、
該２値画像に対して処理装置を用いて補正処理を行う補正処理ステップと、
多値画像に補正処理を施して２値画像を作成する処理が選択された場合、第第１の端末装置の記憶部から補正対象の多値画像を読み出して２値化のための閾値の変更によって２値画像を作成するステップと、
作成された２値画像を該第１の端末装置から該第２の端末装置に送信するステップと、
補正された２値画像を該サーバに送信するステップと、
を有することを特徴とする請求項８記載の画像の処理方法。
【請求項１０】
前記サーバに接続された第２の端末装置で、
該サーバから補正の対象とする２値画像を取得するステップと、
取得した２値画像を表示部に表示するステップと、
該２値画像に対して処理装置を用いて補正処理を行う補正処理ステップと、
多値画像に補正処理を施して２値画像を作成する処理が選択された場合、該第１の端末装置の記憶部に保持されている補正対象の多値画像を読み出して該第２の端末装置に送信するステップと、
該第１の端末装置から送信された多値画像に対して２値化のための閾値の変更によって２値画像を作成するステップと、
補正された２値画像を該サーバに送信するステップと、
を有することを特徴とする請求項８記載の画像の処理方法。
【発明の詳細な説明】
【０００１】
【発明の属する技術分野】
本発明はイメージ処理システムに係り、特に帳票などのイメージを電子データ化してデータベース（ＤＢ）へ保管したり、コードデータのエントリ機能として使用するイメージ処理システムに関する。
【０００２】
【従来の技術】
企業や官庁においては、帳票などの書類を安易な方法で保管、保存、検索したいと言う要求がある。これに応える手段として、書類を電子データとしてＤＢに登録することで大量の文書データを一括管理するシステムが実現されている。
【０００３】
この種のシステムでは、ＤＢの形態で複数の情報からなるレコードを保存し、検索することができる。この場合、帳票に書かれた文字は、文字認識装置を用いて文字コード形態のレコードに変換した後、ＤＢに登録する方法が提案されている。しかし文字認識装置の認識精度は１００％ではなく、オペレータは文字認識に誤りがないかを確認し、誤りがあれば訂正を行う必要がある。
【０００４】
この種の技術として例えば、特開２００１−１８４４５３号公報（特許文献１）に開示されているように、多種類の帳票のイメージを読取り、認識処理するシステムが提案されている。これは、端末装置側で帳票に記載されたイメージを読み取ってセンタ装置に送信し、センタ装置の認識サーバで画像データを切り出して、認識処理及び編集処理を行い、ＤＢに登録するものである。この技術によれば、端末装置で読取られた画像データは、モノクロ２値、モノクロ多値、カラー多値などの形式でセンタ装置へ送信されている。
【０００５】
また、特開平７−９３４４０号公報（特許文献２）に開示されるように、伝票のイメージを読取る装置（第１の装置）と、第１の装置から取得されたデータを修正、確認する装置（第２の装置）のように、イメージの入力作業と修正や確認作業を夫々別の端末で行うことにより、業務の効率化を図るシステムが知られている。
【０００６】
また、画像入力装置によって取得したイメージデータに例えば視認性を向上させるための加工を施したいといった要望からイメージ補正業務を可能としたイメージ処理システムも提案されている。ここでイメージ補正業務とは、イメージデータを多値から２値へ加工する際の閾値の変更や拡大、縮小、回転、反転などのイメージを修正する業務を指す。多値画像が必要な理由は、様々な帳票を処理する場合、事前の経験則から決定された閾値を用いて作成された２値画像では視認性などで必ずしも最適なものを得ることが困難であり、例えば目視によるチェックにより再度閾値調整するためである。
【０００７】
【特許文献１】
特開２００１−１８４４５３号公報
【特許文献２】
特開平７−９３４４０号公報
【０００８】
【発明が解決しようとする課題】
画像入力装置からイメージデータを取得してサーバ装置に登録する業務と、サーバ装置に登録されているデータを補正する業務を別々の端末装置で行う従来のシステムでは、画像入力装置から取得した電子データを、端末装置とサーバ装置間でやりとりする場合、端末装置からの応答に多くの時間がかかると言う問題が確認されている。また、入力や登録業務と補正業務を別々の装置で行うために、特許文献１の技術を適用しようとすると、データ量が大きい多値画像を端末装置とサーバ装置間で送信しなければならず、それが通信回線を圧迫し、更にはサーバ装置の処理負荷を増大させることにある。
更に最近では、補正業務を終えた帳票が正しく補正されているかを検証するための検証業務も行いたいと言う要求がある。上記のいずれの特許文献にも検証処理については言及されていない。
【０００９】
本発明の目的は、データ容量の大きい多値画像をサーバに送信すること無しに、イメージの補正業務を行うことができるイメージ処理システムを提供することにある。
【００１０】
本発明の目的は、端末装置とサーバ間のデータ転送時間を大幅に短縮したイメージ処理システムを提供することにある。
【００１１】
【課題を解決するための手段】
本発明は、端末装置で取得した画像情報をサーバに送信して記憶装置に登録するようにしたイメージ処理システムにおいて、帳票等のイメージデータを取得する画像入力装置と、画像入力装置に接続された第１の端末装置（登録端末）であって、この第１の端末装置は、画像入力装置から取得されたイメージデータに対して認識処理を行い、コードデータを得る文字認識処理手段と、画像入力装置から取得されたイメージデータから多値画像を得る手段と、画像入力装置から取得されたイメージデータから２値画像を得る手段と、多値画像及び２値画像を記憶する記憶手段と、得られた２値画像及びコードデータをサーバに送信する手段を有するように構成したものである。
更に、第１の端末装置及びサーバに接続された第２の端末装置（補正端末）を有し、この第２の端末装置には、サーバから補正の対象とする２値画像およびコードデータを取得する手段と、取得した２値画像およびコードデータを表示する表示手段と、２値画像又はコードデータに対して補正処理を行う補正処理手段と、補正された２値画像又はコードデータをサーバに送信する手段を有するように構成したものである。
例えば、前記補正処理手段は、処理装置を用いて、イメージデータに対する閾値の変更による濃淡の変更、画像の回転又は反転、画像の拡大又は縮小処理を行う。
また、上記第１の端末装置は、補正処理手段で多値画像に補正処理を施して２値画像を作成する処理が選択された場合、補正対象のイメージの多値画像から２値化のための閾値の変更によって２値画像を作成する手段と、作成した２値画像を該第２の端末装置に送信する手段とを有する。
好ましい他の例として、上記補正処理手段で、多値画像に補正処理を施して２値画像を作成する処理が選択された場合、記憶手段に保持されている補正対象イメージの多値画像を読み出して第２の端末装置に送信する手段を有し、補正処理手段は、第１の端末装置から送信された多値画像から２値化のための閾値の変更によって２値画像を作成する。
【００１２】
更に好ましくは、上記第１の端末措置は、イメージデータの破棄が選択された場合、サーバの記憶装置に登録された２値画像及びコードデータを削除する手段と、第１の端末装置の記憶手段に記憶された多値画像を削除する手段を有する。
【００１３】
また、前記サーバに接続された第３の端末装置（検証端末）を備え、この第３の端末装置は、サーバの記憶装置に登録された２値画像及びコードデータを取得して表示する表示手段と、表示手段に表示された２値画像又はコードデータに対して検証結果を示す情報を付与する手段を、付与手段により付与された情報をサーバに送信する手段とを有する。
このようにサーバに多値画像を送信することも不要であり、また多値画像を利用した補正処理に関しては、多値画像の有る端末装置で、又はサーバを経由せずに多値画像を補正端末に直接送信するように構成し、補正端末で補正された２値画像をサーバに送信することでデータ転送時間の短縮を図ることができる。
【００１４】
【発明の実施の形態】
以下、本発明の実施の形態について詳細に説明する。
【００１５】
図１は、本発明の一実施形態によるイメージ処理システムの全体構成を示す図である。
スキャナ１０は、所定の場所にセットされた帳票を走査して、帳票のイメージを多値画像として取り込み、登録端末２０に送る。登録端末２０は、スキャナ１０から取得したイメージデータと、ユーザがあらかじめ設定した位置に記載されている文字の認識結果や検索キーなどの帳票の情報をイメージ管理ワークフローサーバ（単にサーバと言う）５０に登録する。補正端末３０は、文字認識の結果やイメージデータの画像の補正を行う。検証端末４０は、補正端末３０によって補正されたデータに対してその補正結果が正しいものであるかどうかを検証する。これら各端末２０，３０，４０及びサーバ５０は、ＬＡＮまたはＷＡＮを介して接続されている。
【００１６】
これら各端末２０，３０，４０は、例えばパーソナルコンピュータ（ＰＣ）のように、情報の処理を行う処理部、入力部、表示部を有すると共に、イメージデータを記憶する記憶部を備えている。登録端末２０はイメージデータを登録処理するためのプログラム、及び文字の認識プログラムを備えることにより、登録端末としての機能を持つ。また補正端末３０はイメージデータを補正する補正処理プログラムを備えることにより補正端末としての機能を有する。同様に検証端末４０はイメージデータの検証を行う検証プログラムを有する。
【００１７】
尚、複数の端末の各々に、文字認識及び登録処理プログラム、補正処理プログラム、及び検証プログラムを具備させておき、必要に応じて目的のプログラムを起動することにより、上記夫々の端末の機能を実現させるようにしても良い。
サーバ５０は、詳細に図示していないが、処理装置及びＤＢを備え、各端末を管理すると共に、登録端末２０又は補正端末３０から伝送されるイメージデータをＤＢに登録する。
【００１８】
図２は、本発明の一実施形態によるイメージ処理システムにおける画像データの流れを示す。
【００１９】
始めにイメージデータの登録業務について説明する。
スキャナ１０で読み取った多値画像は登録端末２０に送信され、記憶部に格納される（１）。登録端末２０では、取得した多値画像から２値画像を作成する（２）。この場合、２値化閾値はあらかじめ設定された閾値を用いる。この２値化閾値の値としては、例えば本システムで最も多く扱う帳票に対して最適な２値画像を取得できる値とすれば良い。２値画像は登録端末２０内の記憶部に格納される。この２値画像はまた、（３）のように、サーバ５０に送信され、ＤＢに格納される。
次に、補正業務について説明する。
【００２０】
補正端末３０は、サーバ５０のＤＢに格納された２値画像から補正対象となる帳票の２値画像を取得する（４）。補正端末３０は、取得した２値画像に対して、拡大、縮小、回転や反転などの補正処理を行う（５）。この時、閾値の補正を必要とする場合には、多値画像の２値化処理が必要となり、この場合には、５’のように登録端末２０上で２値化処理を行い、その結果である２値画像を５”のように補正端末３０に送信する（５”）。補正のための操作は、補正処理プログラムの実行の下、ＰＣの表示部に表示される２値画像を入力部から補正入力して画像を修正することにより行う。なお、多値画像を必要としない補正を行う場合は（５）’，  （５）”の処理は不要である。画像の補正が終了すると、補正された２値画像はサーバ５０に送信され、ＤＢに格納される。
【００２１】
次に検証業務を説明する。
まず、検証端末４０から、検証対象とする帳票の２値画像を指定し、サーバ５０のＤＢに格納されている２値画像を取得する（７）。検証業務は、２値画像の内容である帳票データが正しいか否かを確認するものであり、表示部に表示された内容が正しければ、検証オペレータにより当該２値画像に「検証済み」であることを示す入力がなされ、その画像に検証済みのコード情報が付される。検証業務が終了すると、対象とする帳票の検証が終了した旨の情報がサーバ５０に送信される。
【００２２】
次に図４、図５、図６、図７のフローチャートを参照して各々の処理について説明する。
【００２３】
図４を参照して、登録端末２０での処理手順について説明する。
まず、登録業務のオペレータが、帳票をスキャナ１０の読み取り台にセットする（Ｓ１０１）。スキャナ１０が接続されている登録端末２０にてオペレータが入力の指示を与えると、スキャナ１０は、帳票のイメージを多値画像として取り込み（Ｓ１０２）、登録端末２０に送信し（Ｓ１０３）、登録端末２０の記憶部にこの多値画像を保存する（Ｓ１０４）。
【００２４】
登録端末２０ではこの取り込まれた多値画像から２値画像の作成と文字認識を行う。２値画像の作成については、取り込まれた多値画像に２値化処理を実施し２値画像を作成する（Ｓ１０５）。文字認識については、作成された２値画像を用いてあらかじめ帳票フォーマットごとに決められていた箇所の画像を切り出して来て、その部分の画像の文字認識を行う（Ｓ１０６）。認識結果はコードデータとして登録端末２０の記憶部に保存される。また、帳票の情報として検索キーや帳票ＩＤなどの情報をサーバ５０に登録する必要がある時は、それらの情報もコードデータとして登録端末２０の記憶部に保存する（Ｓ１０７）。そしてＳ１０５で作成した２値画像とＳ１０７で作成したコードデータを登録端末２０の表示画面上に表示し、オペレータが登録内容を確認する（Ｓ１０８）。Ｓ１０９にてオペレータがその帳票を登録すると判断した時は登録端末２０に登録の指示を出し、２値画像とコードデータをサーバ５０に送信する（Ｓ１１０）。サーバ５０で受信された２値画像とコードデータはＤＢに登録される。
一方、Ｓ１０９にてオペレータがその帳票を登録しないと判断した場合は、登録端末２０上の多値画像、２値画像及びコードデータを削除する（Ｓ１１１）。以上で帳票１枚の登録作業は終了となるが、引き続き帳票の登録業務を行うことを選択した場合はＳ１０１からの手順を再度実施する（Ｓ１１２）。
【００２５】
次に図５を参照して、補正端末３０での処理手順について説明する。
まず補正業務のオペレータが、補正端末３０を操作してサーバ５０に補正対象データの取得要求を行う。この要求に対し、サーバ５０はＳ１１０でサーバ５０のＤＢに登録された２値画像とコードデータを補正端末３０に送信する（Ｓ２０１）。２値画像とコードデータを受け取った補正端末３０は表示画面上にそれらのデータを表示する（Ｓ２０２）。次にオペレータは、これから補正を行う処理の選択をする（Ｓ２０３）。ここで多値画像を必要としない補正、例えばコードデータの補正や２値画像の回転などの補正を行う場合は、サーバ５０から受信した２値画像もしくはコードデータを補正する（Ｓ２０４）。一方、多値画像を必要とする補正、例えば閾値の補正を行う場合、すなわち画面に表示されている画像の文字や罫線の濃淡をオペレータが変更する場合には、２値化閾値の変更を行う必要がある（Ｓ２５０）。この処理の詳細については図６を参照して後述する。
【００２６】
これらの補正が終了したら、その補正結果が表示画面に表示される（Ｓ２０５）。Ｓ２０６において、オペレータがその帳票に対してさらに補正を行う場合には補正の継続を選択し、Ｓ２０３のフローから同一帳票の補正を再び行う。Ｓ２０６において、帳票を登録すると判断した場合には、補正後のコードデータと２値画像はサーバ５０に送信される（Ｓ２０７）。サーバ５０は、補正後のコードデータと２値画像を受信すると、それをＤＢに登録する。
以上で、帳票１枚の補正作業は終了となる。引き続き別の帳票の補正業務を行うことを選択した場合はＳ２０１の手順から再度実施する（Ｓ２０８）。
【００２７】
次に、図６を参照して閾値の補正処理の詳細について説明する。
閾値の補正処理の方法として、ここでは２つの方法を提案するものである。
【００２８】
第１の方法について、図６の（ａ）に示すフローチャートについて説明する。
まず、オペレータは補正端末３０の表示画面に表示されている画像を適切に表示するために、閾値として適切な値を設定する（Ｓ３０１）。ここで適切な値とは、適切な２値画像の取得が期待できる閾値のことを指す。次に、画面に表示されている２値画像と対応した多値画像を保存している登録端末２０上で、Ｓ３０１にて設定した閾値に従って２値化処理を実行する（Ｓ３０２）。そしてＳ３０２で作成した２値画像を補正端末３０に送信することで、閾値の補正を行うことができる（Ｓ３０３）。
【００２９】
次に第２の方法について図６の（ｂ）を参照して説明する。
まず、オペレータは表示画面に表示されている画像を適切に表示するために、閾値として適切な値を設定する（Ｓ３５１）。次にＳ３５２で処理を分岐する。オペレータが閾値の変更を指示した帳票について閾値を初めて変更する場合は、補正端末３０は登録端末２０から補正対象となっている多値画像の取得を行う（Ｓ３５３）。取得された多値画像は補正端末３０の記憶部に格納される。閾値の変更が２度目以降の場合は、補正端末３０の記憶部内には補正対象となっている多値画像が既に存在しているため、Ｓ３５３の処理は行わない。そして補正端末３０上で、Ｓ３５１にて設定した閾値に従って２値化処理を実施することで、閾値の補正を行うことができる（Ｓ３５４）。
【００３０】
次に図７を参照して検証端末４０での検証処理について説明する。
まず、検証業務のオペレータが検証端末４０を操作してサーバ５０に補正対象データの要求を行う。この要求に対し、サーバ５０はＳ１０８でサーバ５０のＤＢに登録されたコードデータと２値画像を検証端末４０に送信する（Ｓ４０１）。コードデータと２値画像を受け取った検証端末４０は表示画面上にそれらのデータを表示する（Ｓ４０２）。次にオペレータは表示画面に表示されている帳票に対して、３種類の判断を下すことができる（Ｓ４０３、Ｓ４０４）。その１は、検証済みの帳票データとしてサーバ５０に登録するものである（Ｓ４０５）。その２は、補正不十分として補正端末に帳票データの再補正を要求するものである（Ｓ４０６）。その３は、帳票データを破棄するものである（Ｓ４０７、Ｓ４０８）。この３つの手段の詳細について次に説明する。
【００３１】
検証済みの帳票データとしてサーバ５０のＤＢに帳票データを登録する場合は、表示画面に表示されている帳票データが検証済みであることを示す情報をサーバ５０に送信する（Ｓ４０５）。この場合、帳票データは検証済みのコード情報が付加されてＤＢに記憶される。
補正不十分の場合は、補正が必要であることを示す情報をサーバ５０に送信し、該当する帳票データが補正対象の帳票データであることをサーバ５０に認識させる（Ｓ４０６）。この補正が必要であることを示す情報が付加された帳票データは、Ｓ２０１で補正対象データの要求が行われた際に補正端末３０に送られる対象の帳票データとなる。
帳票データを破棄する場合は、このシステム内から帳票データを削除する必要があることから、登録端末２０から多値画像を削除するための指令を発し（Ｓ４０７）、かつ、サーバ５０のＤＢ内の２値画像とコードデータを削除する処理を行う（Ｓ４０８）。登録端末２０では、この指令を受け取ると、記憶部から対象とする多値画像を削除する処理を行う。
以上で帳票１枚の検証作業は終了となるが、引き続き他の帳票データの検証業務を行うことを選択した場合は、Ｓ４０１の手順から再度実行する（Ｓ４０９）。上記のようにイメージを処理することで、データ容量の大きい多値画像を端末からサーバ５０に一度も送受信しなくても、帳票データをサーバ５０に登録することが可能となる。
【００３２】
本発明は上記実施例以外にも、種々変形して実施し得る。
図３は、図２の例に対する代案例であり、画像データの流れを示す図である。
両者の相違点は、閾値補正のための２値化処理を実施する時に、図２では登録端末２０上で補正を行うのに対して、図３の例では５’のように補正端末３０に多値画像を送信して、５”のように補正端末３０上で補正を行うところにある。この処理は図６の（ｂ）の処理フローチャートに示される処理と同様である。
図２及び図３のいずれの例も、サーバ５０に対して多値画像の伝送を行わないので、端末とサーバ間の応答時間を大幅に削減することができる。
【００３３】
上記実施例では、登録端末２０、補正端末３０、検証端末４０の３つの独立した端末を備えるように構成しているが、いくつかの端末の機能を重複するようにして実現するようにしても良い。例えば補正端末３０と検証端末４０を１つの端末で実現することもできる。これは、第１の端末には、登録業務を行うための文字認識及び登録処理プログラムを備え、第２の端末には、補正処理プログラム及び検証プログラムを備えておき、必要に応じて補正又は検証のプログラムを起動することにより、第２の端末で２つの機能を実現できる。
【００３４】
【発明の効果】
以上に述べたように本発明によれば、多値画像ではなく、２値画像を端末装置とサーバ装置間で伝送させてイメージの補正業務を行うようにしたので、端末装置とサーバ装置間のデータ転送時間を短縮したイメージ処理システムを得ることができる。
【図面の簡単な説明】
【図１】本発明の一実施形態によるイメージ処理システムの構成を示す図。
【図２】本発明の一実施形態によるイメージ処理システムにおける画像データの流れを示す図。
【図３】他の実施形態によるイメージ処理システムにおける画像データの流れの代案例を示す図。
【図４】一実施形態によるイメージ処理システムの登録端末における処理手順を示すフローチャート。
【図５】一実施形態によるイメージ処理システムの補正端末における処理手順を示すフローチャート。
【図６】図５の補正処理において、閾値を補正する場合の処理の詳細を示すフローチャート。
【図７】一実施形態によるイメージ処理システムの検証端末における処理手順を示すフローチャート。
【符号の説明】
１０  スキャナ
２０  登録端末
３０  補正端末
４０  検証端末
５０  サーバ。
【図１】
2004334524.tif 000003
【図２】
2004334524.tif 000004
【図３】
2004334524.tif 000005
【図４】
2004334524.tif 000006
【図５】
2004334524.tif 000007
【図６】
2004334524.tif 000008
【図７】
2004334524.tif 000009